(57)【要約】【課題】透過光用の印刷物を採用して、複数の立体画像又は可変画像を観察しようとした際でも、立体画像又は可変画像を得る事が可能であり、かつ、製造コストを下げる事が可能な立体画像又は可変画像表示装置を提供すること。【解決手段】凸レンズをレンチキュラーレンズと、前記レンチキュラーレンズの、前記凸レンズを有する面と対向する面であるレンズ平坦面と、前記レンズ平坦面と接着しないように設けられた略透明な基盤と、前記基盤の、前記レンズ平坦面と重なり合う面である基盤平坦面と、前記基盤平坦面と対向する面に設けられたインキ層と、前記インキ層と接着しないように設けられた後方支持基盤と、前記インキ層と後方支持基盤との間に設けられた移動用後隙間と、少なくとも前記レンチキュラーレンズの右側を保持する右保持部と、少なくとも前記レンチキュラーレンズの左側を保持する左保持部と、を有する立体画像又は可変画像表示装置である。【選択図】図１
2006030343.tif 000002
【特許請求の範囲】
【請求項１】
少なくとも一つの凸レンズを有するレンチキュラーレンズと、
前記レンチキュラーレンズの、前記凸レンズを有する面と対向する面であるレンズ平坦面と、
前記レンズ平坦面に、前記レンズ平坦面と接着しないように設けられた略透明な基盤と、
前記基盤の、前記レンズ平坦面と重なり合う面である基盤平坦面と、
前記基盤平坦面と対向する面に設けられたインキ層と、
前記インキ層に、前記インキ層と接着しないように設けられた後方支持基盤と、
前記インキ層と後方支持基盤との間に設けられた移動用後隙間と、
前記後方支持基盤の右片と、右山折線部を介して連接し、少なくとも前記レンチキュラーレンズの右側を保持する右保持部と、
前記後方支持基盤の左片と、左山折線部を介して連接し、少なくとも前記レンチキュラーレンズの左側を保持する左保持部と、
を有し、
前記基盤をレンチキュラーレンズに押し付けて、基盤とレンチキュラーレンズとの位置を固定し、かつ、基盤とレンチキュラーレンズとを密着する押圧手段を設けなくても、立体画像又は可変画像を得る事が可能である事を特徴とする立体画像又は可変画像表示装置。
【請求項２】
少なくとも一つの凸レンズを有するレンチキュラーレンズと、
前記レンチキュラーレンズの、前記凸レンズを有する面と対向する面であるレンズ平坦面と、
前記レンズ平坦面に、前記レンズ平坦面と接着しないように設けられた略透明な基盤と、
前記基盤の、前記レンズ平坦面と重なり合う面である基盤平坦面と、
前記基盤平坦面と対向する面に設けられたインキ層と、
前記インキ層に、前記インキ層と接着しないように設けられた後方支持基盤と、
前記インキ層と後方支持基盤との間に設けられた移動用後隙間と、
前記後方支持基盤の右片と右山折線部を介して連接し、少なくとも前記レンチキュラーレンズの右側を保持する右保持部と、
前記右保持部とレンチキュラーレンズの右片との間、及び、前記右保持部と基盤の右片との間に設けられた移動用右隙間と、
前記後方支持基盤の左片と左山折線部を介して連接し、少なくとも前記レンチキュラーレンズの左側を保持する左保持部と、
前記右保持部とレンチキュラーレンズの左片との間、及び、前記右保持部と基盤の左片との間に設けられた移動用左隙間と、
を有し、
前記基盤をレンチキュラーレンズに押し付けて、基盤とレンチキュラーレンズとの位置を固定し、かつ、基盤とレンチキュラーレンズとを密着する押圧手段を設けなくても、立体画像又は可変画像を得る事が可能である事を特徴とする請求項１記載の立体画像又は可変画像表示装置。
【請求項３】
前記基盤の厚みは、０．１５ｍｍ以上、０．９ｍｍ以下である事を特徴とする請求項１乃至又は請求項４記載の立体画像又は可変画像表示装置。
【請求項４】
前記後方支持基盤に、レンチキュラーレンズと基盤との位置を合わせるための位置合わせ孔が設けられている事を特徴とする請求項１乃至請求項３記載の立体画像又は可変画像表示装置。
【発明の詳細な説明】
【技術分野】
【０００１】
本発明は、レンチキュラーレンズ（カマボコレンズ）の特性を生かした立体視やチェンジングや、アニメーションの分野に属する。
【背景技術】
【０００２】
従来より、少なくとも１つの凸レンズを有するレンチキュラーレンズを使用する事によって、同一画面に、多画像（可変画像）や立体画像の表示が可能になる事が可能になる事が知られている。これは、レンチキュラーレンズが有する凸レンズのピッチに合致するように、複数の原画を分割した一枚の画像を、紙やプラスチックフィルム等の基盤の上に形成した印刷物を、レンチキュラーレンズのうち、凸レンズを有さない面であるレンズ平坦面に貼着したものである。そして、レンチキュラーレンズが有する凸レンズによって、紙やプラスチックの上に形成された原画が、右目用と左目用である場合は立体画像となり、また、連続した動きを表すものである場合はアニメーションとなり、また、異なる絵柄である場合にはチェンジングとなる。（以下、アニメーションとチェンジングを「可変画像」と称す。）
ここで、紙やプラスチック等の基板に、複数の原画を分割した一枚の画像が形成された印刷物は、透過光用と反射光用に大別される。透過光用とは、画像に光を透過することによって立体画像や可変画像を得る事ができるものであり、例えば、プラスチックフィルムの上に複数の原画を分割した一枚の画像が形成されたもの等が存在する。また、反射光用とは、画像に光を反射させることによって立体画像や可変画像を得る事ができるものであり、例えば、紙の上に複数の原画を分割した一枚の画像が形成されたもの等が存在する。
【０００３】
しかし、従来では、レンチキュラーレンズと印刷物とを貼着するため、一種類の画像しか見る事ができないという問題を有していた。すなわち、従来では、複数の原画を分割した画像と、レンチキュラーレンズが有する凸レンズのピッチとを合わせるのが困難であったこと、及び、レンチキュラーレンズと印刷物とを密着させなければならないことの２つの理由によって、レンチキュラーレンズと印刷物とを貼着していた。つまり、複数の原画を分割したストライプ状の直線画像と、レンチキュラーレンズが有する凸レンズのピッチとが完全に一致するようにしなければ、美しい立体画像や可変画像を得る事ができなくなってしまうのであり、また、レンチキュラーレンズと印刷物とを密着させないと、画像がぼやけ、美しい立体画像や可変画像を得る事ができなくなってしまうのである。よって、レンチキュラーレンズと印刷物とを貼着して、画像とレンチキュラーレンズとの位置を正確に合わせ、かつ、レンチキュラーレンズと印刷物とを密着する事を可能にしていたのである。しかし、レンチキュラーレンズと印刷物とを貼着してしまうと、一つの印刷物が有する立体画像や可変画像しか見る事ができないため、面白みを欠くことになる。そこで、レンチキュラーレンズと印刷物とを張り合わせず、複数の種類の画像を見る事が可能な立体画像又は可変画像表示装置が求められていた。
【０００４】
ここで、特許文献１には、レンチキュラーレンズと印刷物とを貼着せず、複数の画像を見る事が可能なケースが開示されている。すなわち、特許文献１には、レンチキュラーレンズと印刷部物とを貼着せず、印刷物の後ろを押す付勢手段によって印刷物をレンチキュラーレンズ側に押し付けることによって、複数の原画を分割したストライプ状の直線画像と、レンチキュラーレンズが有する凸レンズのピッチとが一致した状態を固定すると共に、印刷物とレンチキュラーレンズとを密着させるようにしたケースが開示されている。
【０００５】
しかし、特許文献１では、反射光用の印刷物であれば立体画像や可変画像を見る事が可能になるが、透過光用の印刷物の立体画像や可変画像を見る事が困難であるという問題を有していた。すなわち、特許文献１が開示しているケースは、印刷物とレンチキュラーレンズとの位置を固定し、かつ、印刷物とレンチキュラーレンズとを密着させるために、印刷物の背後を押す付勢手段が設けられている。しかし、透過光用の印刷物を採用して、特許文献１に開示されたケースによって、立体画像や可変画像を観察しようとすると、付勢手段による影が画像に形成されてしまい、立体画像や可変画像を観察する事が困難になってしまうのである。
【０００６】
また、特許文献２には、レンチキュラーレンズつきの額縁が開示されている。すなわち、特許文献２には、レンチキュラーレンズからなるパネルと、パネルの裏面に設けられた位置決め用の係合部と、パネルと対向する位置に設けられた裏パネルとを有しており、かつ、裏パネルの中央部分が凸になるように緩く湾曲している額縁である。よって、緩く湾曲した裏パネルによって、パネルと裏パネルの間に設けられた印刷物をパネル側に押し付ける事が可能になるため、印刷物を固定し、かつ、パネルと印刷物とを密着させる事が可能になる。更に、印刷物とパネルとを密着させる裏パネルは、緩やかに湾曲することによって印刷物をパネル側に押し付けるようになっているため、特許文献１が開示しているような付勢手段を別途設ける必要がない。よって、透過光用の印刷物をパネルと裏パネルとの間に設けても、印刷物に影が形成されること無く、立体画像又は可変画像を得る事を可能にしている。しかし、特許文献２が開示している額縁では、印刷物とレンチキュラーレンズとを密着させるために、裏パネルを緩やかに湾曲しなければならないため、新たな金型が必要になり、製造コストがかかるという問題を有しており、更に、裏パネルが湾曲しているため、輸送時等の取り扱いが困難になるという問題を有していた。
【特許文献１】特開平３−１１１８８７号
【特許文献２】特開平９−１７９２２１号
【発明の開示】
【発明が解決しようとする課題】
【０００７】
本願発明はこのような問題点を解決するためになされたものであり、その課題とするところは、透過光用の印刷物を採用して、複数の立体画像又は可変画像を観察しようとした際でも、立体画像又は可変画像を得る事が可能であり、かつ、製造コストを下げる事が可能な立体画像又は可変画像表示装置を提供することを目的とする。
【課題を解決するための手段】
【０００８】
上記課題を解決するため本願発明の請求項１は、少なくとも一つの凸レンズを有するレンチキュラーレンズと、前記レンチキュラーレンズの、前記凸レンズを有する面と対向する面であるレンズ平坦面と、前記レンズ平坦面に、前記レンズ平坦面と接着しないように設けられた略透明な基盤と、前記基盤の、前記レンズ平坦面と重なり合う面である基盤平坦面と、前記基盤平坦面と対向する面に設けられたインキ層と、前記インキ層に、前記インキ層と接着しないように設けられた後方支持基盤と、前記インキ層と後方支持基盤との間に設けられた移動用後隙間と、前記後方支持基盤の右片と右山折線部を介して連接し、少なくとも前記レンチキュラーレンズの右側を保持する右保持部と、前記後方支持基盤の左片と左山折線部を介して連接し、少なくとも前記レンチキュラーレンズの左側を保持する左保持部と、を有し、前記基盤をレンチキュラーレンズに押し付けて、基盤とレンチキュラーレンズとの位置を固定し、かつ、基盤とレンチキュラーレンズとを密着する押圧手段を設けなくても、立体画像又は可変画像を得る事が可能である事を特徴とする立体画像又は可変画像表示装置である。
【０００９】
また本願請求項２記載の発明は、少なくとも一つの凸レンズを有するレンチキュラーレンズと、前記レンチキュラーレンズの、前記凸レンズを有する面と対向する面であるレンズ平坦面と、前記レンズ平坦面に、前記レンズ平坦面と接着しないように設けられた略透明な基盤と、前記基盤の、前記レンズ平坦面と重なり合う面である基盤平坦面と、前記基盤平坦面と対向する面に設けられたインキ層と、前記インキ層に、前記インキ層と接着しないように設けられた後方支持基盤と、前記インキ層と後方支持基盤との間に設けられた移動用後隙間と、前記後方支持基盤の右片と右山折線部を介して連接し、少なくとも前記レンチキュラーレンズの右側を保持する右保持部と、前記右保持部とレンチキュラーレンズの右片との間、及び、前記右保持部と基盤の右片との間に設けられた移動用右隙間と、前記後方支持基盤の左片と左山折線部を介して連接し、少なくとも前記レンチキュラーレンズの左側を保持する左保持部と、前記右保持部とレンチキュラーレンズの左片との間、及び、前記右保持部と基盤の左片との間に設けられた移動用左隙間と、を有し、前記基盤をレンチキュラーレンズに押し付けて、基盤とレンチキュラーレンズとの位置を固定し、かつ、基盤とレンチキュラーレンズとを密着する押圧手段を設けなくても、立体画像又は可変画像を得る事が可能である事を特徴とする請求項１記載の立体画像又は可変画像表示装置である。
【００１０】
また本願請求項３記載の発明は、前記基盤の厚みは、０．１５ｍｍ以上、０．９ｍｍ以下である事を特徴とする請求項１乃至又は請求項４記載の立体画像又は可変画像表示装置である。
【００１１】
また、本願請求項４記載の発明は、前記後方支持基盤に、レンチキュラーレンズと基盤との位置を合わせるための位置合わせ孔が設けられている事を特徴とする請求項１乃至請求項３記載の立体画像又は可変画像表示装置である。
【発明の効果】
【００１２】
本願請求項１記載の発明によれば、少なくとも一つの凸レンズを有するレンチキュラーレンズと、前記レンチキュラーレンズの、前記凸レンズを有する面と対向する面であるレンズ平坦面と、前記レンズ平坦面に、前記レンズ平坦面と接着しないように設けられた略透明な基盤と、前記基盤の、前記レンズ平坦面と重なり合う面である基盤平坦面と、前記基盤平坦面と対向する面に設けられたインキ層と、前記インキ層に、前記インキ層と接着しないように設けられた後方支持基盤と、前記インキ層と後方支持基盤との間に設けられた移動用後隙間と、前記後方支持基盤の右片と右山折線部を介して連接し、少なくとも前記レンチキュラーレンズの右側を保持する右保持部と、前記後方支持基盤の左片と左山折線部を介して連接し、少なくとも前記レンチキュラーレンズの左側を保持する左保持部と、を有するため、前記基盤をレンチキュラーレンズに押し付けて基盤とレンチキュラーレンズとを密着させるために、付勢手段や、後方支持基盤を緩やかに湾曲させる等の押圧手段を設けなくても、レンチキュラーレンズと基盤との位置を固定し、かつ、レンチキュラーレンズと基盤とを密着する事が可能になる。よって、透過光用の印刷物を採用して、複数の立体画像又は可変画像を観察しようとした際でも、立体画像又は可変画像を得る事が可能であり、かつ、製造コストを下げて製造する事が可能になる。
【００１３】
つまり、本願請求項１記載の発明では、レンズ平坦面に、基盤平坦面が重なり合っている。ここで、レンズ平坦面は、レンチキュラーレンズの面のうち、凸レンズを有する面と対向する面であり、平坦な面である。また、基盤平坦面は、基盤の面のうち、インキ層を有する面と対向する面であり、平坦な面である。よって、平坦なレンズ平坦面に、平坦な基盤平坦面が重なり合うように基盤を設ける事によって、平坦な面と面とが重なり合っているため、レンズ平坦面と基盤平坦面とを密着させる事が可能になる。そして、本願発明の立体画像又は可変画像表示装置では、インキ層と後方支持基盤との間に設けられた移動用後隙間を有するため、レンチキュラーレンズと基盤とが一緒に動いて、両者が密着した状態を保つ事が可能になる。よって、レンチキュラーレンズが有する凸レンズのピッチに、基盤のインキ層が有する画像が一致するように、レンチキュラーレンズと基盤とを密着させた際には、両者が一緒に動くようになるため、レンチキュラーレンズと基盤がずれることが無い。従って、前記基盤をレンチキュラーレンズに押し付けて基盤とレンチキュラーレンズとを固定、かつ、密着させるために、付勢手段や、後方支持基盤を緩やかに湾曲させる等の押圧手段を設けなくても、レンチキュラーレンズと基盤が立体画像や可変画像を観察する事が可能な状態を保つ事が可能になり、立体画像や可変画像を得る事が可能になる。
【００１４】
すなわち、レンチキュラーレンズの凸レンズを有する面は、凸レンズが存在するために凹凸を有しており、また、基盤のインキ層が設けられる面は、インキ層が存在するために凹凸を有している。例えば、４色の絵柄の場合、黄、赤、藍、墨の４つ色のインキが重なり合ってインキ層が形成されるため、濃度が濃いところのインキ層は厚く、また、濃度が薄いところのインキ層は薄い。よって、例えば、レンチキュラーレンズの凸レンズを有する面と基盤平坦面とを重ね合わせても、インキ層の凹凸によって、レンチキュラーレンズと基盤とを密着させる事は困難であり、また、例えば、レンチキュラーレンズのレンズ平坦面と基盤のインキ層が設けられた面とを重ね合わせても、レンチキュラーレンズと基盤とを密着させることは困難である。しかし、レンチキュラーレンズの面のうち、凸レンズを有する面と対向する面は平坦な面であり、また、基盤の面のうち、インキ層を有する面と対向する面は平坦な面である。よって、平坦なレンズ平坦面と、平坦な基盤平坦面とを重ね合あわせることにより、レンチキュラーレンズと基盤とを密着させる事が可能になる。
【００１５】
そして、本願発明では、移動用後隙間を有するため、両者を一緒に動かす事が可能になり、その結果、レンチキュラーレンズと基盤とが密着した状態を保つ事が可能になる。よって、レンチキュラーレンズが有する凸レンズのピッチに、基盤に設けられたインキ層が有する画像を一致させた際には、この状態を保つ事が可能になり、基盤をレンチキュラーレンズに押し付けて基盤とレンチキュラーレンズとの位置を固定するために、付勢手段や、後方支持基盤を緩やかに湾曲させる等の押圧手段を設けなくても、基盤をレンチキュラーレンズに押し付けて基盤とレンチキュラーレンズとの位置を固定する事が可能になる。
【００１６】
ここで、立体画像又は可変画像表示装置に移動用後隙間を設けない場合では、レンチキュラーレンズと基盤とを密着させる事が可能であるが、例えば、立体画像や可変画像を得るために立体画像又は可変画像表示装置を動かした際に、レンチキュラーレンズが動き、基盤との位置がずれてしまった場合では、移動用後隙間がないために基盤がレンチキュラーレンズと一緒に動くことができず、その結果、レンチキュラーレンズのピッチと基盤に設けられたインキ層が有する画像との位置がずれたままになり、立体画像や可変画像を得る事が困難になってしまうことが考えられる。つまり、移動用後隙間がないため、基盤がレンチキュラーレンズと一緒に動くことができず、固定されてしまうため、一旦レンチキュラーレンズとの位置がずれると、ずれたままになってしまうのである。しかし本願発明の立体画像又は可変画像表示装置では、前記インキ層と後方支持基盤との間に移動用後隙間を設けているため、レンチキュラーレンズが動いた際は、基盤も一緒に動く事が可能になり、位置がずれるということがない。よって、レンチキュラーレンズのピッチに、基盤に設けられたインキ層が有する画像を一致させた状態を保つ事が可能になり、押圧手段を設けなくても、レンチキュラーレンズと基盤との位置を固定する事が可能になり、立体画像や可変画像を得る事が可能になる。
【００１７】
なお、本願発明では、インキ層は略透明な基盤に設けられるため、基盤によってインキ層がレンチキュラーレンズ側から見えなくなるということは無い。ここで、略透明な基盤とは、透明である事が好ましいが、レンチキュラーレンズ側からインキ層が有する画像を見る事が可能であれば、透明では無く、色を有していてもよく、例えば、薄いクリーム色や、薄い白等でもよいがこれに限定する必要は無い。なお、基盤は、略透明であれば、公知の材料を採用して製造する事が可能であり、例えば、塩ビや非塩ビやプラスチック等の樹脂等を採用する事が可能であるが、これに限定するわけではない。
【００１８】
結局、従来の技術において、付勢手段や、後方支持基盤を緩やかに湾曲させる等の押圧手段を設けていたのは、レンチキュラーレンズと基盤とを密着させ、かつ、レンチキュラーレンズのピッチに、基盤に設けられたインキ層が有する画像を一致させた状態を固定させるためであった。本願発明では、透明な基盤を採用して、基盤とレンチキュラーレンズの平坦な面同士を重ね合わせることで、レンチキュラーレンズと基盤との密着を可能にし、更に、移動用後隙間を設ける事によって、基盤に設けられたインキ層が有する画像を一致させた状態を保つ事を可能にしており、その結果、基盤をレンチキュラーレンズに押し付けて、基盤とレンチキュラーレンズとを固定し、かつ、密着する押圧手段を設けなくても、立体画像又は可変画像を得る事を可能にしており、例えば、透過光用の基盤を採用して、複数の立体画像又は可変画像を得ようとした場合であっても、基盤に影が形成されることなく、容易に立体画像又は可変画像を得る事が可能になる。なお、本願発明では、レンチキュラーレンズと基盤とは、接着しないため、基盤を入れ替える事によって、複数の立体画像又は可変画像を得る事が可能である。
【００１９】
ここで、右保持部と左保持部は、少なくともレンチキュラーレンズを保持して、本願発明の立体画像又は可変画像表示装置を動かした際に、レンチキュラーレンズと基盤が、左右に傾いたり、前に倒れたりするのを防ぐ役割を果たすものである。また、本願発明の立体画像又は可変画像表示装置は、レンチキュラーレンズと基盤が一緒に動く事によって、レンチキュラーレンズのピッチと基盤が有する画像との位置を固定する事を可能にしているため、右保持部と左保持部は、レンチキュラーレンズと基盤を移動可能に保持するものであり、例えば、レンチキュラーレンズと基盤が動かないように固定するものであったり、レンチキュラーレンズのみを固定するようなものであったり、基盤のみを固定するものではない。つまり、本願発明では、透明な基盤の基盤平坦面と対向する面にインキ層を設けて基盤平坦面とレンズ平坦面とを重ねあわせ、かつ、レンチキュラーレンズと基盤の両方が移動可能に保持する右保持部と左保持部とを有し、かつ、移動用後隙間を有するため、インキ層が有する画像とレンチキュラーレンズのピッチとを一致させた状態を保つ事が可能になり、その結果、基盤をレンチキュラーレンズに押し付けて、基盤とレンチキュラーレンズとの位置を固定し、かつ、基盤とレンチキュラーレンズとを密着する押圧手段を設けなくても、立体画像又は可変画像を得る事を可能にしている。
【００２０】
なお、右保持部、及び、左保持部は、基盤に設けられたインキ層が有する画像の要部を遮ることなく、レンチキュラーレンズと印刷物が前に倒れたり、左右に傾いたりするのを防ぐことが可能になるよう、レンチキュラーレンズの右側と左側をそれぞれ保持する必要がある。具体的には、右保持部と左保持部のうち、レンチキュラーレンズの凸レンズが設けられた面と接してレンチキュラーレンズと印刷物が前に倒れるのを防ぐ部分は、それぞれ、レンチキュラーレンズ２の横方向の長さの０．１割以上１割以下程度が好ましく、より好ましくは、レンチキュラーレンズ２の横方向の長さの０．１割以上０．７割以下程度が好ましい。しかし、これに限定する必要は無く、基盤に設けられたインキ層が有する画像の要部を遮ることなく、レンチキュラーレンズと印刷物が前に倒れるのを防ぐことが可能であれば、どのように保持してもよい。なお、右保持部と左保持部は、レンチキュラーレンズの右側と左側の全体を保持する必要は無く、例えば、右側の一部と左側の一部をそれぞれ保持するようにしてもよく、任意のやり方を採用する事が可能である。
【００２１】
また、移動用後隙間の厚さは、あまりにも大きくしてしまうと、基盤とレンチキュラーレンズががたつき、基盤とレンチキュラーレンズとの位置合わせが困難になり、立体画像や可変画像を得る事が困難になるという弊害を生じるようになってしまうため、インキ層から後方支持基盤までの距離が、好ましくは、０．１ｍｍ以上、２ｍｍ以下、更に好ましくは、０．２ｍｍ以上、１ｍｍ以下になるように移動用後隙間を設けるとよい。このような厚さにする事によって、立体画像や可変画像を得る際に、移動用後隙間が有する弊害を押さえながら、レンチキュラーレンズと基盤とを一緒に動かすという移動用後隙間が有する機能を最大限発揮させる事が可能になる。しかし、これに限定する必要は無く、インキ層から後方支持基盤までの距離は任意の長さを採用する事が可能である。
【００２２】
また、本願発明において基盤は、レンチキュラーレンズ側からインキ層が有する画像を見る事が可能であれば、任意のものを採用する事が可能であり、例えば、塩ビや非塩ビやプラスチック等を採用する事が可能である。なお、レンチキュラーレンズ側からインキ層が有する画像をよりはっきり見る事が可能になるよう、基盤は透明であることが好ましいが、レンチキュラーレンズ側からインキ層が有する画像を見る事が可能であれば、樹脂を着色して略透明にしてもよい。また、本願発明の立体画像または可変画像表示装置を透過光用にするか反射光用にするかによって任意に定める事が可能である。なお、基盤が略透明であるため、反射光用、透過光用どちらの場合でも、インキ層の最外層を白いインキによってべた状に形成した白べた層にすると、インキ層が有する他の色が引き締まって見え、立体画像や可変画像が美しくなるため好ましく、特に反射光用にする場合では、白べた層を厚く設ける事によって光が透過する事防ぐ事が可能になるため好ましいがこれに限定するわけではない。
【００２３】
また、後方支持基盤は、本願発明の立体画像又は可変画像表示装置を立てた際に、基盤とレンチキュラーレンズが後方に倒れる事を防ぐ役割を果たすものであり、基盤とレンチキュラーレンズが密着した状態の後方を支えている。また、後方支持基盤を設ける事によって、移動用後隙間を設ける事を可能にしている。なお、本願発明の立体画像または可変画像表示装置を透過光用にする場合では、透過光を基盤に提供する事が可能になるように、略透明であることが好ましい。略透明とは、基盤と同様、透明である事が好ましいが、基盤に透過光を提供することが可能であれば、透明では無く、色を有していてもよく、例えば、薄いクリーム色や、薄い白等でもよいがこれに限定する必要は無い。また、本願発明の立体画像または可変画像表示装置を反射光用にする場合では、光をより反射することが可能になるよう、後方支持基盤を白にする事が好ましい。更に、本願発明の立体画像又は可変画像表示装置を、透過光用と反射光用の兼用にする場合は、透過光用に合わせて、後方支持基盤は略透明にしたほうが好ましい。しかし、これらに限定する必要は無く、基盤の色は任意の色を採用する事が可能である。また、基盤は、公知の材料を採用して製造する事が可能であり、例えば、塩ビや非塩ビやプラスチック等の樹脂等や、木材や、紙等を採用する事が可能であるが、これらに限定する必要は無く、任意の材料を採用する事が可能である
なお、本願発明の立体画像又は可変画像表示装置では、後方支持基盤を湾曲しなくても、インキ層が有する画像とレンチキュラーレンズのピッチとを一致させた状態を保つ事が可能になり、かつ、レンチキュラーレンズと基盤とを密着させる事が可能になるため、後方支持基盤は水平である。よって別途金型を容易する必要が無くなり、製造コストを下げる事が可能になると同時に、輸送時の取り扱いも容易にする事が可能になる。
【００２４】
また、本願請求項２記載の発明によれば、少なくとも一つの凸レンズを有するレンチキュラーレンズと、前記レンチキュラーレンズの、前記凸レンズを有する面と対向する面であるレンズ平坦面と、前記レンズ平坦面に、前記レンズ平坦面と接着しないように設けられた略透明な基盤と、前記基盤の、前記レンズ平坦面と重なり合う面である基盤平坦面と、前記基盤平坦面と対向する面に設けられたインキ層と、前記インキ層に、前記インキ層と接着しないように設けられた後方支持基盤と、前記インキ層と後方支持基盤との間に設けられた移動用後隙間と、前記後方支持基盤の右片と右山折線部を介して連接し、少なくとも前記レンチキュラーレンズの右側を保持する右保持部と、前記右保持部とレンチキュラーレンズの右片との間、及び、前記右保持部と基盤の右片との間に設けられた移動用右隙間と、前記後方支持基盤の左片と左山折線部を介して連接し、少なくとも前記レンチキュラーレンズの左側を保持する左保持部と、前記右保持部とレンチキュラーレンズの左片との間、及び、前記右保持部と基盤の左片との間に設けられた移動用左隙間と、前記基盤をレンチキュラーレンズに押し付けて基盤とレンチキュラーレンズとを密着させるために、付勢手段や、後方支持基盤を緩やかに湾曲させる等の押圧手段を設けなくても、レンチキュラーレンズと基盤とを固定し、かつ、基盤とレンチキュラーレンズとを密着する事が可能になる。よって、透過光用の印刷物を採用して、複数の立体画像又は可変画像を観察しようとした際でも、立体画像又は可変画像を得る事が可能であり、かつ、製造コストを下げて製造する事が可能になる。
【００２５】
更に本願請求項２記載の発明によれば、移動用右隙間と移動用左隙間とを有するため、レンチキュラーレンズと基盤とが密着した状態を保ったまま、両者を一緒に動かす事がより可能になり、その結果、レンチキュラーレンズのピッチに、インキ層が有する画像を一致させた状態をより保つ事が可能になり、より容易に立体画像や可変画像を得る事が可能になる。
【００２６】
すなわち、本願請求項１記載の発明に包含される形態である、右保持部と左保持部とが、レンチキュラーレンズと基盤とを強固に保持した結果、レンチキュラーレンズと基盤とがかろうじて移動する事が可能な程度に保持している場合では、例えば、レンチキュラーレンズが右保持部や左保持部に引っかかってしまい、両者が一緒に動くことができなくなってしまう場合が考えられる。本願請求項２記載の発明では、前記右保持部とレンチキュラーレンズの右片との間、及び、前記右保持部と基盤の右片との間に設けられた移動用右隙間と、前記右保持部とレンチキュラーレンズの左片との間、及び、前記右保持部と基盤の左片との間に設けられた移動用左隙間を有するため、レンチキュラーレンズや基盤が右保持部や左保持部に引っかかることなく、円滑に移動させる事が可能になり、その結果、レンチキュラーレンズのピッチに、基盤に設けられたインキ層が有する画像を一致させた状態を保つ事がより可能になり、より容易に立体画像や可変画像を得る事が可能になる。
【００２７】
ここで、移動用右隙間の厚さと移動用左隙間の厚さは、あまりにも大きくしてしまうと、基盤とレンチキュラーレンズががたついてしまい、基盤とレンチキュラーレンズとの位置合わせが困難になり、立体画像や可変画像を得る事が困難になるという弊害を生じるようになってしまうため、好ましくは、移動用右隙間の厚さを、右保持部とレンチキュラーレンズの右片との間、及び、前記右保持部と基盤の右片との間に少なくとも０．１ｍｍ以上、２ｍｍ以下、更に好ましくは、０．１ｍｍ以上、１ｍｍ以下の隙間が存在するように移動用右隙間を設けるとよく、また、移動用左隙間の厚さも同様に、左保持部とレンチキュラーレンズの左片との間、及び、前記左保持部と基盤の左片との間に少なくとも０．１ｍｍ以上、２ｍｍ以下、更に好ましくは、０．１ｍｍ以上、１ｍｍ以下の隙間が存在するように移動用左隙間を設けるとよい。このように移動用右隙間と移動用左隙間とをそれぞれ設ける事によって、立体画像や可変画像を得る際に、移動用右隙間と移動用左隙間が有する弊害を押さえながら、レンチキュラーレンズと基盤とを一緒に円滑に動かすという移動用右隙間と移動用左隙間とが有する機能を最大限発揮させる事が可能になるが、これに限定する必要は無く、移動用右隙間の厚みと移動用左隙間の厚みは、任意の大きさを採用して設ける事が可能である。
【００２８】
また、本願請求項３記載の発明によれば、前記基盤の厚みが０．１５ｍｍ以上、０．９ｍｍ以下であるため、基盤が自立する事が可能になり、その結果、基盤とレンチキュラーレンズとを密着する事がより可能になると同時に、基盤とレンチキュラーレンズとが一緒に動く事がより可能になるため、より容易に立体画像や可変画像を得る事が可能になる。
【００２９】
例えば、本願請求項１又は請求項２に包含される形態である、基盤の厚みが０．９ｍｍよりも厚い場合では、その材料にプラスチックやペット等の樹脂を採用すると、湾曲させる事が困難になり、その結果、オフセット印刷機やグラビア印刷機によってインキ層を設ける事が困難になって、製造コストが上がってしまうという問題を有している。また例えば、本願請求項１又は請求項２に包含される形態である、基盤の厚みが０．１５ｍｍよりも薄い場合では、湾曲させることは容易になるため、オフセット印刷機やグラビア印刷機によってインキ層を設ける事が可能になるが、レンチキュラーレンズと密着させて右保持部と左保持部で保持し、立体画像や可変画像を得ようとしても、基盤が自立できずに曲がってしまうため、立体画像や可変画像を得る事が困難になってしまうという問題を有している。
【００３０】
つまり、立体画像又は可変画像表示装置を用いて立体画像や可変画像を得る際は、人間が顔を正面に向けた状態で、人間の両目と立体画像又は可変画像表示装置が平行になるように、立体画像又は可変画像表示装置を立てて行う。この時、基盤の背後をレンチキュラーレンズに押し付けて、基盤とレンチキュラーレンズとを固定し、かつ、基盤とレンチキュラーレンズとを密着する押圧手段を有していれば、基盤を０．１５ｍｍよりも薄くして、基盤が自立する事ができない場合であっても、押圧手段によって基盤を支えるため、立体画像や可変画像を観察する事が可能になる。しかし、本願発明の立体画像又は可変画像表示装置は、基盤の背後をレンチキュラーレンズに押し付けて、基盤とレンチキュラーレンズとの位置を固定し、かつ、基盤とレンチキュラーレンズとを密着する押圧手段を有していない。よって、基盤の厚みを０．１５ｍｍよりも薄くしてしまうと、立体画像や可変画像を観察するために、立体画像又は可変画像表示装置を立てた際に、基盤が重力に耐えることができずに曲がってしまった結果、レンチキュラーレンズと密着した状態を保つ事ができなくなってしまうだけでは無く、基盤にしわがよってしまい、立体画像や可変画像を得る事が困難になってしまう。
【００３１】
本願請求項３記載の発明では、基盤の厚みを、０．１５ｍｍ以上、０．９ｍｍ以下にしているため、オフセット印刷機やグラビア印刷機によってインキ層を設ける事が可能であり、かつ、立体画像又は可変画像を観察するために、本願発明の立体画像又は可変画像表示装置を立てた状態にしても基盤が自立する事が可能になる。よって、製造コストをより下げて、立体画像や可変画像をより容易に得る事が可能な立体画像又は可変画像表示装置を提供する事が可能になる。
【００３２】
また、本願請求項４記載の発明によれば、後方支持基盤に、レンチキュラーレンズと基盤との位置を合わせるための位置合わせ孔が設けられているため、レンチキュラーレンズのピッチと画像の位置がずれたまま、レンチキュラーレンズと基盤とが密着してしまっても、正しい位置にする事が可能になる。
【００３３】
つまり、本願発明の立体画像又は可変画像表示装置は、基盤とレンチキュラーレンズとが接着していないため、複数の立体画像又は可変画像を得る事が可能である。具体的には、基盤を入れ替える事によって、違う種類の立体画像又は可変画像を得る事が可能になるのである。このとき、右保持部と左保持部からレンチキュラーレンズと基盤を外して、新たな基盤とレンチキュラーレンズとを、位置が合うように密着させた後に、再び両者を右保持部と左保持部に保持させるようにする場合は問題が無いが、基盤のみを外して入れ替えを行う場合も考えられる。このように基盤のみをはずして基盤の入れ替えを行う場合では、入れ替えた当初の段階では、基盤のインキ層が有する画像とレンチキュラーレンズのピッチとが一致しない場合が多い。このような場合、使用者は、レンチキュラーレンズのピッチと画像とが一致するように、レンチキュラーレンズや基盤を上下左右にずらす必要がある。しかし、本願発明では、移動用後隙間や移動用右隙間や移動用左隙間が存在するため、レンチキュラーレンズをずらすと、一緒に画像も動いてしまい、結局、基盤と一緒にレンチキュラーレンズを取り外して、位置を合わせた後、右保持部と左保持部に保持させるようになってしまい、入れ替えが面倒になってしまう。
【００３４】
しかし、本願請求項４記載の発明では、位置合わせ孔を有しているため、位置合わせ孔に指を入れて基盤を触る事が可能になり、その結果、基盤のみを動かす事が可能になり、基盤のみを入れ替えた場合であっても、容易に位置を合わせる事が可能になる。つまり、本願請求項４記載の発明では、位置合わせ孔を有しているため、位置合わせに指を入れて基盤を抑えると共に、別の指でレンチキュラーレンズを押さえる事が可能になる。よって、レンチキュラーレンズと基盤とが一緒に動かないようにする事が可能になり、基盤のみを入れ替えた場合であっても、位置合わせを容易に行う事が可能になる。
【００３５】
なお、位置合わせ孔は、後方支持基盤の任意の位置に設ける事が可能であるが、透過光用の印刷物を採用する場合では、位置合わせ孔によって立体画像や可変画像に影が形成されてしまうため、位置合わせ孔は、目立たないところに設ける事が好ましい。例えば、後方支持基盤の対角線の交点、すなわち、後方支持基盤の中心や中心付近に設けることは避け、好ましくは、後方支持基盤の周囲、更に好ましくは、後方支持基盤の上部や下部に設ければ、立体画像や可変画像にそれほど影響を与えずに、位置合わせ孔を目立たせなくする事が可能になる。更に、位置合わせ孔は、後方支持基盤の上部に、後方支持基盤の上片と連接するように設ければ、基盤の入れ替え時に位置合わせが容易になるだけでなく、入れ替え時に基盤を取り外し易くなるため好ましいが、これに限定するわけではない。また、位置合わせ孔の大きさは、少なくとも１本の指が入る大きさであれば、任意の大きさにする事が可能である。
【発明を実施するための最良の形態】
【００３６】
以下、本発明を実施するための最良の形態を実施例で説明する。
【実施例１】
【００３７】
以下、本願発明を図面に基づき詳細に説明する。
図１（ａ）は、本願発明における立体画像又は可変画像表示装置の正面図、及び、図１（ｂ）は図１の線分ｘ−ｘでの拡大断面図、図１（ｃ）は図１（ｂ）をレンチキュラーレンズ一つ分についてさらに拡大した拡大断面図である。
【００３８】
図１において、１は立体画像又は可変画像表示装置、２はレンチキュラーレンズ、３は印刷物、４は右保持部、５は左保持部、６は下保持部、７は後方支持基盤、８はレンズ面、９はレンズ平坦面、１０はレンチキュラーレンズ２の厚さ、１１は基盤、１２はインキ層、１３はインキ層形成面、１４は基盤平坦面、１５は基盤１１の厚さ、１６は凸レンズ、１７は位置合わせ孔、１８は位置合わせ孔１７の半径、２０は位置合わせ孔１７の中心、２１は移動用後隙間、２２は移動用後隙間の厚さ、２３は右山折線部、２４は右側片、２５は右前山折線部、２６は右前片、２７は左山折線部、２８は左側片、２９は左前山折線部、３０は左前片、３１は移動用右隙間、３２は移動用左隙間、３３は下前山折線部、３４は下前片、３５は移動用右隙間３１の厚さ、３６は移動用左隙間３２の幅、３７はピッチである。
【００３９】
図１において、立体画像又は可変画像表示装置１は、レンチキュラーレンズ２、印刷物３、右保持部４、左保持部５、下保持部６、後方支持基盤７、及び、移動用後隙間２１によって構成されている。レンチキュラーレンズ２はレンズ面８とレンズ平坦面９を有しており、レンズ面８は凸レンズが設けられた面であり、レンズ平坦面９はレンズ面８と対向する面であり、凸レンズを有していない平坦な面である。またレンチキュラーレンズ２はその縦方向の長さが約２９７ｍｍ、横方向の長さが約２１０ｍｍで、約Ａ４の大きさである。
【００４０】
また、レンチキュラーレンズ２に設けられた１つの凸レンズ１６の幅、すなわち、ピッチ３７は約０．４７３ｍｍであり、１インチ（２５．４ｍｍ）内に５８本の凸レンズ１６が並ぶように設計されている。本実施の形態において、レンチキュラーレンズ２をこのように設計したのは、レンチキュラーレンズ２と印刷物３の大きさがＡ４であり、かつ、レンチキュラーレンズ２と印刷物３を貼着しておらず、使用者が手によってレンチキュラーレンズ２のピッチ３７と、印刷物３の画像とを合わせる必要があるため、位置を合わせる事を容易にしながら、美しい立体画像を得ることを可能にするためである。すなわち、本願発明の立体画像又は可変画像表示装置１は、レンチキュラーレンズ２と印刷物３とを貼着しないため、レンチキュラーレンズ２が有する凸レンズ２のピッチ３７と、印刷物３が有する線状の画像とを、使用者が手であわせなければならない。このとき、凸レンズ１６のピッチ３７があまりにも細かいと、位置を合わせるのが困難になり、逆に、ピッチ３７があまりにも太いと、位置を合わせるのは容易になるが、画像が荒く、美しい立体画像を得る事ができなくなってしまう。よって、１インチの範囲に５８本の凸レンズが設けられるよう、一つの凸レンズのピッチを約０．４７３ｍｍにしてレンチキュラーレンズを設計し、位置を合わせることを容易にし、かつ、美しい画像を得る事を可能にしている。なお本実施の形態に限定する必要は無く、例えば、Ａ４の印刷物３であれば、１インチの範囲に凸レンズ３０を４０本以上７０本以下、更に好ましくは、５０本以上、６０本以下設けるようにレンチキュラーレンズ２を設計すれば、本願発明の立体画像又は可変画像表示装置において、位置を合わせる事が容易になり、かつ、美しい立体画像又は可変画像を得る事が可能になる。また、例えば、印刷物３の大きさがＡ４よりも大きい場合は、１インチ内に凸レンズ１６を４０本以上６０本以下設けるようにレンチキュラーレンズ２を設計すれば、本願発明の立体画像又は可変画像表示装置１において、位置を合わせる事が容易になり、かつ、美しい立体画像又は可変画像を得る事が可能になる。更に、例えば、印刷物３の大きさがＡ４よりも小さい場合では、１インチ内に凸レンズ１６が７０本以上１２０本以設けられるようにレンチキュラーレンズ２を設計すれば、本願発明の立体画像又は可変画像表示装置１において、位置を合わせる事が容易になり、かつ、美しい立体画像又は可変画像を得る事が可能になる。しかし、これらに限定する必要は無く、レンチキュラーレンズ２は任意に設計する事が可能になる。なお、凸レンズは、１インチ内に何本設ける場合に置いても、同じ方向に並ぶように形成されることは言うまでもない。
【００４１】
また、レンチキュラーレンズ２の厚さ１０は、一般的に、ピッチ３７に比例する。よってピッチ３７が細かい場合は薄くなり、逆に、ピッチ３７が太いものは厚くなる。本実施の形態では、ピッチは、約０．４７３ｍｍであるため、レンチキュラーレンズの厚みは約１．５ｍｍである。また、レンチキュラーレンズ２は塩ビによって形成されており、透明である。なお、本実施の形態では、レンチキュラーレンズ２は塩ビによって形成されているが、これに限定する必要は無く、任意の材料を採用し、公知の方法でレンチキュラーレンズ２を形成する事が可能であり、またレンチキュラーレンズ２の厚さ１０も、レンチキュラーレンズ２のピッチ４によって任意の厚みにする事が可能であり、例えば、本実施の形態のように、ピッチ３７を０．４７３ｍｍにした場合は、レンチキュラーレンズ２の厚さ１０は１．２ｍｍ以上、１．６ｍｍ以下にする事が可能である。なお、レンチキュラーレンズは、レンチキュラーレンズのレンズ平坦面に設けられた基盤が有する画像を閲覧する事が可能になるよう、好ましくは透明、又は、略透明である必要がある。
【００４２】
レンチキュラーレンズ２のレンズ平坦面９側には、レンチキュラーレンズ２と接着しないように、印刷物３が設けられている。印刷物３は、基盤１１と、基盤の上に設けられたインキ層１２とによって構成されており、更に、基盤１１は、インキ層１２が設けられるインキ層形成面１３と、インキ層形成面１３と対向する基盤平坦面１４とを有している。そして、基盤平坦面１４とレンズ平坦面９が重なりあうように、レンチキュラーレンズ２に印刷物３が設けられ、レンチキュラーレンズ２と印刷物３とが密着している。
【００４３】
また、基盤１１は、ペットフィルムにより形成されており透明である。よって、インキ層形成面１３に設けられたインキ層１２が有する画像を基盤平坦面１４からも見る事ができ、また、レンチキュラーレンズ２と印刷物３とを密着させても、レンチキュラーレンズ２側からインキ層形成面１３に設けられたインキ層１２が有する画像を見る事が可能である。また、基盤１１は、その縦方向の長さが約２９７ｍｍ、横方向の長さが約２１０ｍｍで、約Ａ４の大きさである。更に、基盤１１の厚さ１５は０．２ｍｍであるため、レンチキュラーレンズ２と印刷物３とを密着させて本願発明の立体画像又は可変画像表示装置１を立てた際に、印刷物３が自立する事が可能であり、例えば、重力に耐えられずに曲がってしまい、立体画像や可変画像を得る事ができなくなる等の問題が生じることは無い。なお、基盤１１の厚み１５は、任意の厚さにする事が可能であり、本実施の形態の０．２ｍｍに限定する必要は無い。しかし、本願発明の立体画像又は可変画像表示装置１を立てた状態にしても、印刷物３が重力に耐えられずに曲がってしまう事が無く、かつ、オフセット印刷方法やグラビア印刷方法を採用して基盤１１にインキ層１２を形成する事が可能になるように基盤１１の厚み１５は０．１５ｍｍ以上、０．８ｍｍ以下である事が好ましい。なお、レンチキュラーレンズも０．１５ｍｍ以上にして自立する事が可能になるようにするとよい。また、本実施の形態では、ペットフィルムによって基盤１１を形成したがこれに限定する必要は無く、任意の材料を採用する事が可能である。しかし、レンチキュラーレンズ２と印刷物３とを密着させた際に、基盤１１のインキ層形成面１３に設けたインキ層１２が有する画像を、レンチキュラーレンズ２から見る事が可能になるよう、基盤１１は略透明、更に好ましくは透明にする必要がある。
【００４４】
ここで、本実施の形態では、レンチキュラーレンズ２は塩ビによって形成されており、また、基盤１１はペットフィルムによって形成されている。よって絶縁体同士を重ね合わせているため、双方を摩擦することによって静電気が生じ、よりレンチキュラーレンズ２と印刷物３とを密着する事を可能にしている。つまり、基盤１１は略透明にする必要があるため、ペットフィルムや塩ビや非塩ビ等の樹脂で形成する事が可能である。また、レンチキュラーレンズ２も樹脂で形成する事が可能である。よって、基盤１１とレンチキュラーレンズ２を絶縁体にする事が可能になり、こすり合わせる事によって静電気を発生させ、基盤１１とレンチキュラーレンズ２をより密着する事が可能になり、言い換えれば、印刷物３とレンチキュラーレンズをより密着させる事が可能になる。
【００４５】
また、基盤平坦面１４と対向する面であるインキ層形成面１３には、インキ層１２が設けられており、複数の原画を分割したストライプ状の直線画像を形成している。なお、本実施の形態では、ストライプ状の直線画像は、本願発明の立体画像又は可変画像表示装置１で立体画像を見ることが可能になるように構成されている。またインキ層１２は、オフセット印刷方式によって設けられた、黄、赤、藍、黒、及び、白の５色のインキによって構成されており、図示しないが、インキ層１２の最も外側に、白のインキでべた状に設けた白べた層が位置するようになっている。このように、インキ層１２の最も外側を、白のインキをべた状に設ける事によって、インキ層１２が有する他の色をより鮮やかにする事が可能になる。なお、本願発明では、インキ層１２が有する画像は、基盤平坦面側から観察するようになるため、インキ層１２が有する画像を左右反転させる必要があり、また、基盤平坦面から見た際に最も背景に位置するインキを最後に設けることになる。具体的には、本実施の形態では、オフセット印刷方式を採用しているため、最初に黒インキを設け、次に藍インキを設け、次に赤インキを設け、次に黄インキを設け、次に白インキをべた状に設け、最後に、もう一度白インキをべた状に設けてインキ層１２を形成しており、最後に２回設けた白インキが背景を構成している。なお、本実施の形態に必要は無く、任意の印刷方式を採用する事が可能であり、例えば、グラビア印刷方式やシルクスクリーン等を採用する事が可能である。また、本実施の形態では、インキ層１２が有する色を引き立たせる為に、白をべた状に２回設けているがこれに限定する必要は無く、白インキは設けなくても良いし、また、設ける回数も１回でも良いし、２回以上でもよい。なお、本実施の形態では、印刷物３は透過光用であるため、白インキを２回べた状に設けているが、印刷物３を反射光用にする場合は、白インキを２回以上設け、更に、後述する後方支持基盤７を白にすると良いがこれに限定するわけではない。
【００４６】
また、本実施の形態では、レンチキュラーレンズ２と印刷物３とは、略同じ大きさであり、縦方向の長さが横方向の長さよりも長い長方形をしている。しかし、本実施の形態に限定する必要は無く、レンチキュラーレンズ２と印刷物３の大きさは任意の大きさにする事が可能であり、またその形状も任意の形状を採用する事が可能である。例えば、レンチキュラーレンズ２に比べて印刷物３が小さくてもよいし、また逆に、レンチキュラーレンズ２に比べて印刷物３が大きくてもよいが、後述するように、右保持部４と左保持部５は少なくともレンチキュラーレンズ２の右側と左側をそれぞれ保持するため、レンチキュラーレンズ２と印刷物３の大きさは、同じ、もしくは、レンチキュラーレンズ２に比べて印刷物３の方が小さいほうがよい。また、レンチキュラーレンズ２と印刷物３の形状も、縦方向の長さが横方向の長さよりも長い長方形に限定する必要は無く、任意の形状を採用する事が可能であり、例えば、円や三角形や正方形や多角形等任意の形状を採用する事が可能である。更に、レンチキュラーレンズ２の形状と印刷物３の形状とが異なるようにする事も可能である。例えば、レンチキュラーレンズ２の形状を縦方向の長さが横方向の長さよりも長い長方形にして、印刷物３の形状を星型にすれば、より面白みのある立体画像又は可変画像表示装置１を提供する事が可能になるが、これに限定するわけではない。
【００４７】
後方支持基盤７は、印刷物３のインキ層１２側に設けられ、印刷物３の後方と接して印刷物３とレンチキュラーレンズ２が後方に倒れないように支持している。なお、本実施の形態では、印刷物３とレンチキュラーレンズ２とが略同じ形状であるため、後方支持基盤７は印刷物３の後方と接触しているが、例えば、印刷物３がレンチキュラーレンズ２よりも小さい場合は、後方支持基盤７は印刷物３とレンチキュラーレンズ２の両方と接して、印刷物３とレンチキュラーレンズ２が後方に倒れないように支持することになる。また、後方支持基盤７は、横方向の長さが２１５ｍｍ、縦方向の長さが３００ｍｍであり、縦方向の長さが横方向の長さよりも長い長方形をしている。また、後方支持基盤の厚みは２ｍｍであり、塩ビより形成され透明である。なお、本実施の形態では、印刷物３が透過光用であるために、後方支持基盤７を透明にしているがこれに限定する必要は無く、任意の色を採用する事が可能である。例えば、薄く着色して略透明にしてもよいし、更に、印刷物が反射光用である場合では、後方支持基盤７は白にした方が、より光を反射する事が可能になるため好ましい。また、透過光用と反射効用の両方の印刷物４を採用し、本願発明の立体画像又は可変画像表示装置１を透過光用と反射光用の兼用にする場合であれば、後方支持基盤７は略透明である方がよいがこれに限定する必要は無い。また、本実施の形態では、後方支持基盤７は塩ビを採用しているが、これに限定する必要は無く、任意の材料を用いて形成する事が可能であり、例えば、非塩ビやペットなどの樹脂や、紙や、木等を採用する事が可能である。また、後方支持基盤７の大きさと厚みも本実施の形態に限定する必要は無く、任意の大きさ、厚みを採用する事が可能である。しかし、後方支持基盤７は、印刷物３とレンチキュラーレンズ２が密着した状態での後方を支えるため、印刷物３やレンチキュラーレンズ２よりも大きい必要がある。また、後方支持基盤７の形状も、本実施の形態のように、長方形に限定する必要はなく、任意の形状を採用する事が可能である。結局、後方支持基盤７は、少なくとも印刷物３と接触して、印刷物３とレンチキュラーレンズ２が密着した状態を支持する事が可能であれば、任意の形状、大きさを採用する事が可能である。
【００４８】
後方支持基盤７には、位置合わせ孔１７が設けられており、印刷物３を入れ替えた際でも、位置合わせ孔１７に指を入れて印刷物３のみを動かすことが可能になるため、容易に位置を合わせる事を可能にしている。本実施の形態では、位置合わせ孔１７は半径１８が２ｃｍの半円であり、後方支持基盤７の上片の略中央にその中心２０が位置するように設けられている。なお、本実施の形態に限定する必要は無く、位置合わせ孔１７は、任意の位置に任意の形状で設ける事が可能である。なお、位置合わせ孔１７によって立体画像又は可変画像に影が形成される場合があるため、位置合わせ孔１７は、立体画像又は可変画像の要部に陰が形成されないように設ける事が好ましい。ここで画像の要部とは、例えば、立体画像の場合では、画像のうち最も立体視したいと感じる部分であり、また、可変画像の場合では、画像のうち最も可変画像を楽しみたいと感じる部分であり、言い換えれば、立体画像や可変画像の著者が最も立体画像や可変画像を楽しんでもらいたいと思う部分である。一般的に立体画像や可変画像を得る際には、視線の延長上に位置する部分の方が、立体画像や可変画像を用意に得る事が可能になるため、画像の要部は、視線の延長上、言い換えれば、画像の中央部分に位置する事が多い。よって、少なくとも画像の中央部分に位置合わせ孔１７が位置しないように位置合わせ孔１７を設ける事が好ましいが、これに限定するわけではない。
【００４９】
また、本実施の形態では、位置合わせ孔１７は後方支持基盤７の上片の略中央にその中心が位置するように一つだけ設けられているが、これに限定する必要は無く、後方支持基盤７に数箇所形成しても良い。また、本実施の形態では、位置合わせ孔１７の形状は半径１８が２ｃｍの半円であるが、これに限定する必要は無く、任意の形状を採用する事が可能であり、例えば、矩形や、三角形、多角形、ハート型、もしくは、星型など任意の形状を採用する事が可能である。また、位置合わせ孔１７の大きさも、少なくとも指を入れる事ができ、かつ、位置合わせ孔１７に入れた指によって印刷物３を上下左右に動かす事が可能であれば、任意の大きさを採用する事が可能である。
【００５０】
移動用後隙間２１は、後方支持基盤７と印刷物３との間に設けられた隙間であり、本実施の形態では、隙間の厚み２２が約０．２５ｍｍである。本願発明では、後方支持基盤７と印刷物３との間に、移動用後隙間２１を有するため、レンチキュラーレンズ２と印刷物３とを密着した上程で一緒に動かす事が可能になり、その結果、印刷物３をレンチキュラーレンズ２に押し付けて、印刷物３とレンチキュラーレンズ２との位置を固定し、かつ、印刷物３とレンチキュラーレンズ２とを密着する押圧手段を設けなくても、立体画像又は可変画像を得る事を可能にしている。なお、移動用後隙間２１はレンチキュラーレンズ２と印刷物３とが密着した状態で一緒に動く事が可能であれば、任意の厚さで設ける事が可能であるが、好ましくは０．１ｍｍ以上、２ｍｍ以下、更に好ましくは、０．２ｍｍ以上、１ｍｍ以下になるように移動用後隙間２１を設けるとよい。このような大きさにする事によって、立体画像や可変画像を得る際に、印刷物とレンチキュラーレンズが大きく動いて両者が離れてしまうという移動用後隙間２１が有する弊害を押さえながら、レンチキュラーレンズ２と印刷物３とを一緒に動かして位置を固定することが可能になるという移動用後隙間２１が有する機能を最大に発揮させる事が可能になるため好ましい。しかし、これに限定する必要は無い。また、レンチキュラーレンズ２と印刷物３とが密着した状態において、両者の上部と下部とで動く幅にばらつきがあると、レンチキュラーレンズと基盤がずれながら一緒に動き、立体画像や可変画像を得る事が困難になってしまうという不具合が生じるため、移動用後隙間２１は、厚み２２を均等にして設ける事が好ましい。
【００５１】
右保持部４は、後方支持基盤７の右片と、右山折線部を介して連接する右側片２４と、前記右側片２４の右山折線部２３と対向する片と、右前山折線部２５を介して連接する右前片２６とを有しており、コの字に形成されている。右側片２４は、本願発明の立体画像又は可変画像表示装置１を動かした際に、レンチキュラーレンズ２の右辺と、印刷物３の右片の少なくともどちらか片方が当たって、レンチキュラーレンズ２と印刷物３が右側に傾くのを防ぐ部分である。また、右前片２６は、本願発明の立体画像又は可変画像表示装置１を動かした際に、レンチキュラーレンズ２と印刷物３が前に倒れてしまうのを防ぐ部分であり、レンチキュラーレンズ２の右片の近傍のレンズ面８と接して、レンチキュラーレンズ２と印刷物３が前に倒れるのを防いでいる。
【００５２】
また左保持部５は、後方支持基盤７の左片と、左山折線部２７を介して連接する左側片と、前記左側片２８の左山折線部２７と対向する片と、左前山折線部２９を介して連接する左前片３０とを有しており、コの字に形成されている。左側片３０は、本願発明の立体画像又は可変画像表示装置１を動かした際に、レンチキュラーレンズ２の左辺と、印刷物３の左片の少なくともどちらか片方が当たって、レンチキュラーレンズ２と印刷物３が左側に傾くのを防ぐ部分である。また、左前片３０は、本願発明の立体画像又は可変画像表示装置１を動かした際に、レンチキュラーレンズ２と印刷物３が前に倒れてしまうのを防ぐ部分であり、レンチキュラーレンズ２の左片の近傍のレンズ面８と接して、レンチキュラーレンズ２と印刷物３が前に倒れるのを防いでいる。
【００５３】
また下保持部６は、後方支持基盤７の下辺と、図示されない下山折線部を介して連接する下側片（図示されない）と、前記下側片の下山折線部と対向する片と、下前山折線部３３を介して連接する下前片３４とを有しており、コの字に形成されている。下側片は、本願発明の立体画像又は可変画像表示装置１を持ち上げた際に、少なくともレンチキュラーレンズ２の下辺を支えて、レンチキュラーレンズ２と印刷物３が下方向に抜けてしまうのを防ぐ部分である。また、下前片３４は、本願発明の立体画像又は可変画像表示装置１を動かした際に、レンチキュラーレンズ２と印刷物３が前に倒れてしまうのを防ぐ部分であり、レンチキュラーレンズ１の下片の近傍のレンズ面８と接して、レンチキュラーレンズ２と印刷物３が前に倒れるのを防いでいる。また、下保持部６は、右保持部４の下部と、左保持部５の下部とも連接し、レンチキュラーレンズ２の左右の角、及び、印刷物３の左右の角を衝撃から守り、曲がってしまうことを防ぐ事を可能にしている。結局、本実施の形態では、右保持部４、下保持部６、及び、左保持部５によって、レンチキュラーレンズ２と印刷物３の右側、下側、及び、左側をそれぞれ覆って保持している。
【００５４】
また右側片２４とレンチキュラーレンズ２の右片との間、及び、右側片２４と印刷物３の右片との間には、移動用右隙間３１が設けられており、レンチキュラーレンズ２と印刷物３とが円滑に動く事を可能にしており、レンチキュラーレンズ２と印刷物３とが位置を合わせた状態を固定する事をより可能にしている。本実施の形態では、移動用右隙間３１は、レンチキュラーレンズ２の大きさと印刷物３の大きさが同じであるため、移動用右隙間３１の厚さ３５、すなわち、レンチキュラーレンズ２の右片から右側片２４までの距離と、印刷物３の右片から右側片２４までの距離は、０．２５ｍｍになるように設けられている。なお、本実施の形態では、レンチキュラーレンズ２の大きさと印刷物３の大きさが同じであるため、レンチキュラーレンズ２の右片から右側片２４までの距離と、印刷物３の右片から右側片２４までの距離は同じであるが、例えば、レンチキュラーレンズ２と印刷物３の大きさが異なる場合では、大きい方が右保持部４に引っかかって両者が円滑に動くのを妨げてしまう可能性が高いため、より大きいほうの右片から右側片２４までの距離が、少なくとも０．１ｍｍ以上、２ｍｍ以下、更に好ましくは、０．１ｍｍ以上、１ｍｍ以下になるように移動用右隙間３１を設けるとよい。しかしこれに限定する必要は無く、移動用右隙間３１は、レンチキュラーレンズ２と印刷物３の両者が、円滑に動くことが可能であれば、任意の幅で設けることが可能である。なお、移動用右隙間３１の上部と移動用右隙間３１の下部とで、その幅に違いがあると、レンチキュラーレンズ２と印刷物３がばらついて動くようになり、位置を固定する事が困難になる場合が考えられるため、移動用右隙間３１の厚さ３５が常に均等になるように、移動用右隙間３１を設ける事が好ましいがこれに限定するわけではない。
【００５５】
また左側片２８とレンチキュラーレンズ２の左片との間、及び、左側片２８と印刷物３の左片との間には、移動用左隙間３２が設けられており、レンチキュラーレンズ２と印刷物３とが円滑に動く事を可能にしており、レンチキュラーレンズ２と印刷物３との位置を合わせた状態を固定する事をより可能にしている。本実施の形態では、移動用左隙間３２は、レンチキュラーレンズ２の大きさと印刷物３の大きさが同じであるため、移動用左隙間３２の厚さ３６、すなわち、レンチキュラーレンズ２の左片から左側片２８までの距離と、印刷物３の左片から左側片２８までの距離は、０．２５ｍｍになるように設けられている。なお、本実施の形態では、レンチキュラーレンズ２の大きさと印刷物３の大きさが同じであるため、レンチキュラーレンズ２の左片から左側片２８までの距離と、印刷物３の左片から左側片２８までの距離は同じであるが、例えば、レンチキュラーレンズ２と印刷物３の大きさが異なる場合では、より大きい方が、左保持部５に引っかかって両者が円滑に動くのを妨げてしまう可能性が高いため、より大きいほうの左片から左側片２８までの距離が、少なくとも０．１ｍｍ以上、２ｍｍ以下、更に好ましくは、０．１ｍｍ以上、１ｍｍ以下になるように移動用左隙間３２を設けるとよい。しかしこれに限定する必要は無く、移動用左隙間３２は、レンチキュラーレンズ２と印刷物３の両者が、円滑に動くことが可能になれば、任意の幅で設けることが可能である。なお、移動用左隙間３２の上部と移動用左隙間３２の下部とで、その幅に違いがあると、レンチキュラーレンズ２と印刷物３とがばらついて動くようになり、位置を固定する事が困難になる場合が考えられるため、移動用左隙間３２の厚さ３６が常に均等になるように、移動用左隙間３２を設ける事が好ましいがこれに限定するわけではない。
【００５６】
ここで、右側片２４、下側片、及び、左側片２８の幅、つまり、右山折線部２３から右前山折線部２５までの距離、及び、左山折線部２７から左前山折線部３０までの距離、及び、下山折線部から下前山折線部３３までの距離は、それぞれ、レンチキュラーレンズ２の厚さと、印刷物３の厚さと、移動用後基盤の厚さを足した長さである約２ｍｍに、後方支持基盤とそれぞれの前片の厚みを足した約５ｍｍである。また右前片２６、下前片３４、及び、左前片３０の幅、すなわち、右前片２６の右前山折線部２５と対向する辺から右前山折線部２５までの距離、左前片３０の左前山折線部２７と対向する辺から左前山折線部２９までの距離、及び、下前片３４の下前山折線部３３と対向する辺から下前山折線部３３までの距離は、それぞれ約５ｍｍである。なお、本実施の形態に限定する必要は無く、右側片２４、下前片、及び、左側片２８の幅は、右保持部４、下保持部６、及び、左保持部５の各形状、及び、レンチキュラーレンズ２の厚さと、印刷物３の厚さと、移動用後隙間２１の厚さによって、それぞれ任意の幅にする事が可能であるし、また、右前片２６、下前片３４、及び、左前片３０の幅も、保持するレンチキュラーレンズ２と印刷物３の大きさ、及び、右前片２６、下前片３４、及び、左前片３０とで保持する重さ、すなわち、レンチキュラーレンズ２と印刷物３を足した重さによって任意の大きさにする事が可能である。なお、基盤１１に設けられたインキ層１２が有する画像の要部を遮ることなく、レンチキュラーレンズ２と印刷物３が前に倒れるのを防ぐことが可能になるよう、右前片２６、下前片３４、及び、左前片３０の幅は、それぞれ、レンチキュラーレンズ２の横方向の長さの０．１割以上１割以下程度が好ましく、より好ましくは、レンチキュラーレンズ２の横方向の長さの０．１割以上０．７割以下程度が好ましいが、これに限定する必要は無く、保持するレンチキュラーレンズと基盤の大きさ、及び、レンチキュラーレンズと基盤を足した重さによって任意の幅にする事が可能である。
【００５７】
また本実施の形態では、右保持部４は、後方支持基盤７の右片と、右山折線部２３を介して連接する右側片２４と、前記右側片２４の右山折線部２３と対向する片と、右前山折線部２５を介して連接する右前片２６とを有している、コの字に形成されたものを採用しており、また、下保持部６は、後方支持基盤７の下辺と、図示されない下山折線部を介して連接する下側辺（図示されない）と、前記下側片の下山折線部と対向する片と、下前山折線部３３を介して連接する下前片３４とを有している、コの字に形成されており、また、左保持部５は、後方支持基盤７の左片と、左山折線部２７を介して連接する左側片２８と、前記左側片２８の左山折線部２７と対向する片と、左前山折線部２９を介して連接する左前片３０とを有している、コの字に形成されたものを採用しているため、一つの金型で後方支持基盤７、右保持部４、下保持部６、及び、左保持部５を形成する事が可能であり、製造コストを下げる事が可能になる。
【００５８】
なお本実施の形態では、また本実施の形態では、右保持部４は、後方支持基盤７の右片と、右山折線部２３を介して連接する右側片２４と、前記右側片２４の右山折線部２３と対向する片と、右前山折線部２５を介して連接する右前片２６とを有している、コの字に形成されたものを採用しており、また、下保持部６は、後方支持基盤７の下辺と、図示されない下山折線部を介して連接する下側辺（図示されない）と、前記下側片の下山折線部と対向する片と、下前山折線部３３を介して連接する下前片３４とを有している、コの字に形成されており、また、左保持部５は、後方支持基盤７の左片と、左山折線部２７を介して連接する左側片２８と、前記左側片２８の左山折線部２７と対向する片と、左前山折線部２９を介して連接する左前片３０とを有している、コの字に形成されたものを採用しているがこれに限定する必要は無く、右保持部４、下保持部６、及び、左保持部５は、レンチキュラーレンズ２と印刷物３とが左右に傾くこと、及び、レンチキュラーレンズ２と印刷物３とが前に倒れてしまう事を防ぐ事が可能であれば、それぞれ任意の形状を採用する事が可能であり、例えば、後方支持基盤７の右片と、右山折線部２３を介して連接し、レンチキュラーレンズ２のレンズ面８に向かって曲線を描くようにして右保持部４を設け、また、後方支持基盤７の下片と、図示されない下山折線部を介して連接し、レンチキュラーレンズ２のレンズ面８に向かって曲線を描くようにして下保持部６を設け、また、後方支持基盤７の左片と、左山折線部２７を介して連接し、レンチキュラーレンズ２のレンズ面８に向かって曲線を描くようにして左保持部５を設けるようにしてもよいし、また例えば、後方支持基盤７の右片の一部と、右山折線部２３を介して連接し、レンチキュラーレンズ２のレンズ面８に向かって右保持部４を設け、また、後方支持基盤７の下片の一部と、図示されない下山折線部を介して連接し、レンチキュラーレンズ２のレンズ面８に向かって下保持部６を設け、また、後方支持基盤７の左片の一部と、左山折線部２７を介して連接し、レンチキュラーレンズ２のレンズ面８に向かって左保持部５を設けるようにしてもよい。なお、これらに限定する必要はなく、右保持部４、下保持部６、および、左保持部５は、立体画像又は可変画像表示装置１の用途によって任意の形状、及び、大きさを採用して設ける事が可能である。更に、下保持部分６は設けなくてもよく、例えば、本願発明の立体画像又は可変画像表示装置１を使用する際に、手に持つことがなく、机等の上に立てて使用する場合では、机等によってレンチキュラーレンズ２の下部分と印刷物３の下部分を保持する事が可能になるため、下保持部６を設けなくても立体画像又は可変画像を得る事が可能になるが、これに限定する必要はない。また、右保持部４、下保持部６、及び、左保持部５に加えて、上保持部を設けることも可能であり、上保持部を更に設ける場合では、例えば、後方支持基盤７の上片と、上山折線部を介して連接する上側片と、前記上側片の上山折線部と対向する片と、上前山折線部を介して連接する上前片とを有し、コの字に形成されたものを採用したり、後方支持基盤の上片の一部と、上山折線部を介して連接し、レンチキュラーレンズ２のレンズ面８に向かって設けられたものを採用するようにしてもよいがこれに限定するわけではない。
【実施例２】
【００５９】
図２は、本願発明の立体画像又は可変画像表示装置の、別の実施の形態を示した正面図である。図２において、図１と同じ番号を付したものは同じものであるため、説明を割愛し、４０は後方支持基盤、４１は印刷物の上片である。
【００６０】
図２において、後方支持基盤４０は、その縦方向の長さを、図１の後方支持基盤の縦方向の長さに、位置合わせ孔１７の縦方向の長さ、つまり、位置合わせ孔１７の半径１８を加えた長さにして、位置合わせ孔１７が、印刷物の背後に位置しないようにすることを可能にしている。具体的には、後方指示基盤４０の横方向の長さを約２１５ｍｍにし、縦方向の長さを約３２０ｍｍにしており、レンチキュラーレンズ２と印刷物３が下保持部６に保持され、立体画像や可変画像を観察する際には、位置合わせ孔１７が、印刷物３の上片４１に接するようなっている。一般的に、本願発明の立体画像又は可変画像表示装置１で立体画像又は可変画像を得るためには、本願発明の立体画像又は可変画像１を立てて置くことが多いため、少なくともレンチキュラーレンズ２が下保持部６に保持されるようになる。そして、後方支持基盤４０の縦方向の長さを、印刷物２とレンチキュラーレンズ３のうち縦方向がより長い方よりも長くすることによって、印刷物２とレンチキュラーレンズ３の上片の上の後方支持基盤４０に余分な領域が形成されるようになり、この部分に位置合わせ孔１７を、印刷物２の上片４１に接する、もしくは、印刷物の上片４１に接しないように設けることによって、印刷物に掛かることなく位置合わせ孔を設けることが可能になり、その結果、立体画像や可変画像を見る際に、余計な影が立体画像や可変画像に形成されることを防ぐことが可能になる。なお、本実施の形態に限定する必要はなく、後方支持基盤４０は印刷物２又は、レンチキュラーレンズ３の大きさや、移動用右隙間３１の厚さ３５や、移動用左隙間３２の厚さ３６によって任意の大きさにすることが可能であり、また、位置合わせ孔１７も任意の位置に設けることが可能である。
【実施例３】
【００６１】
図３は、本願発明の立体画像又は可変画像表示装置の、別の実施の形態を示した正面図である。図３において、図１と同じ番号を付したものは同じものであるため、説明を割愛し、４５は後方支持基盤、４６は右下位置合わせ孔、４７は左上位置合わせ孔、４８は右下位置合わせ孔の半径、４９は右下位置合わせ孔の中心、５０は左上位置合わせ孔の半径、５１は左上位置合わせ孔の中心である。
【００６２】
図３において、右下位置合わせ孔４６は、後方支持基盤４５の下片と右片との交点である、後方支持基盤の右下の角に設けられており、半径４８が２ｃｍの円を１／４にした扇形をしており、また、中心４９が後方支持基盤の下片と右片との交点に位置するように設けられている。また、左上位置合わせ孔４７は、後方支持基盤４５の上片と左片との交点である、後方支持基盤の左上の角に設けられており、半径５０が２ｃｍの円を１／４にした扇形をしており、また、中心５１が後方支持基盤４５の上片と左片との交点に位置するように設けられている。本実施の形態のように、後方支持基盤４５の右下と左上の２箇所に位置合わせ孔を設けることによって、レンチキュラーレンズ２のピッチ３７に印刷物３が有する画像を合わせることをより容易にすることが可能になる。
【００６３】
すなわち、本願発明の立体画像又は可変画像表示装置１では、基盤１１とレンチキュラーレンズ２とが密着しており、かつ、一緒に動くことが可能であるため、基盤１１に設けられたインキ層１２が有する画像とレンチキュラーレンズ２のピッチ３７との位置を合わせるために、基盤１１を動かすと、レンチキュラーレンズ２も一緒に動いてしまう。よって、位置合わせ孔を設けることによって、基盤１１を動かしながら、レンチキュラーレンズ２を押さえることが可能になり、その結果、容易に位置を合わせることが可能である。しかし、例えば、レンチキュラーレンズ２と印刷物３の大きさが大きい場合では、密着する力が大きくなり、その結果、一つの位置合わせ孔ではレンチキュラーレンズと基盤とを別々に動かすために大きな力が必要になって、容易に位置を合わせることができなくなってしまう場合が考えられる。そこで、位置合わせ孔を二つ以上設ければ、動かす力を分散することが可能になるため、より容易に位置を合わせる事が可能になる。さらに、本実施の形態のように、位置合わせ孔を後方支持基盤に２箇所、更に、対角線上に位置するように設けることによって、一つの位置合わせ孔によって下半分の位置合わせを、もう片方の位置合わせ孔によって上半分の位置合わせを行うことが可能になり、レンチキュラーレンズ２と印刷物３とをより正確な位置に合わせる事が可能になり、より美しい立体画像又は可変画像を得ることが可能になる。つまり、本実施の形態のように、後方支持基盤４５に、位置合わせ孔を、２箇所、更に、対角線上に設ければ、右下位置合わせ孔４６によって下半分の位置合わせを行うことが可能になり、かつ、左上位置合わせ孔４７によって上半分の位置合わせを行うことが可能になるため、より正確な位置にレンチキュラーレンズ２と印刷物３とを合わせる事が可能になり、より美しい立体画像又は可変画像を得ることが可能になる。
【００６４】
なお、これに限定する必要はなく、位置合わせ孔は任意の位置に任意の数設けることが可能である。例えば、右上位置合わせ孔と左上位置合わせ孔のみにしたり、また例えば、右上位置合わせ孔と右下位置合わせ孔のみにするというように、一つの片の左右に２箇所設けるようにすることも可能であるし、また、後方支持基盤の角全てに位置合わせ孔を設けることも可能であり、後方支持基盤の上片と右片との交点である、後方支持基盤の右上の角に中心が位置するように設けられており、半径が２ｃｍの円を１／４にした扇形である、右上位置合わせ孔と、後方支持基盤の上片と左片との交点である、後方支持基盤の左上の角に中心が位置するように設けられており、半径が２ｃｍの円を１／４にした扇形である、左上位置合わせ孔と、後方支持基盤の下片と右片との交点である、後方支持基盤の右下の角に中心が位置するように設けられており、半径が２ｃｍの円を１／４にした扇形である、右下位置合わせ孔と、後方支持基盤の下片と左片との交点である、後方支持基盤の左下の角に中心が位置するように設けられており、半径が２ｃｍの円を１／４にした扇形である、左下位置合わせ孔と、を有するようにしてもよい。このように、それぞれの角に位置合わせ孔を設ける事によって、右上位置合わせ孔によって右上の位置合わせを、右下位置合わせ孔によって右下の位置合わせを、左上位置合わせ孔によって左上の位置合わせを、および、左下位置合わせ孔によって左下の位置合わせを、それぞれ行うことが可能になり、レンチキュラーレンズ２と印刷物３とをより正確な位置に合わせる事が可能になり、より美しい立体画像又は可変画像を得ることが可能になるがこれに限定するわけではない。なお、２箇所設ける場合は、対角線上に位置するように設ければ、上半分と下半分の位置をそれぞれ合わせることが可能になるため、レンチキュラーレンズと印刷物をより正確な位置に合わせる事が可能になる。また、位置合わせ孔の形状は、本実施の形態のように、円を１／４にした扇形に限定する必要は無く、任意の形状を採用する事が可能である。しかし、位置合わせ孔をあまりにも大きくすると立体画像や可変画像に影が形成されてしまうため、位置合わせ孔は大きすぎない方が好ましく、またその形状も、立体画像や可変画像を観察する際に、目障りにならない形状が好ましい。例えば、位置合わせ孔の形状を四角形にするよりも、本実施の形態のように、円を１／４にした扇形にした方が、立体画像や可変画像を観察する際に、目障りにならないため好ましいがこれに限定するわけではない。
【図面の簡単な説明】
【００６５】
【図１】図１（ａ）は本願発明における立体画像又は可変画像表示装置の正面図である。図１（ｂ）は図１の線分ｘ−ｘでの拡大断面図である。図１（ｃ）は図１（ｂ）をレンチキュラーレンズ一つ分についてさらに拡大した拡大断面図である。
【図２】図２は、本願発明の立体画像又は可変画像表示装置の、別の実施の形態を示した正面図である。
【図３】図３は、本願発明の立体画像又は可変画像表示装置の、別の実施の形態を示した正面図である。
【符号の説明】
【００６６】
１…立体画像又は可変画像表示装置、２…レンチキュラーレンズ、３…印刷物、４…右保持部、５…左保持部、６…下保持部、７…後方支持基盤、８…レンズ面、９…レンズ平坦面、１０…レンチキュラーレンズ２の厚さ、１１…基盤、１２…インキ層、１３…インキ層形成面、１４…基盤平坦面、１５…基盤１１の厚さ、１６…凸レンズ、１７…位置合わせ孔、１８…位置合わせ孔１７の半径、２０…位置合わせ孔１７の中心、２１…移動用後隙間、２２…移動用後隙間の厚さ、２３…右山折線部、２４…右側片、２５…右前山折線部、２６…右前片、２７…左山折線部、２８…左側片、２９…左前山折線部、３０…左前片、３１…移動用右隙間、３２…移動用左隙間、３３…下前山折線部、３４…下前片、３５…移動用右隙間３１の厚さ、３６…移動用左隙間３２の幅、３７…ピッチ、４０…後方支持基盤、４１…印刷物の上片、４５…後方支持基盤、４６…右下位置合わせ孔、４７…左上位置合わせ孔、４８…右下位置合わせ孔の半径、４９…右下位置合わせ孔の中心、５０…左上位置合わせ孔の半径、５１…左上位置合わせ孔の中心
【図１】
2006030343.tif 000003
【図２】
2006030343.tif 000004
【図３】
2006030343.tif 000005